(57)【要約】【課題】遊技盤装置における演出効果をさらに向上させる。【解決手段】遊技盤装置１は、弾球が落下する遊技領域において厚み方向に重ねられる複数の板部材（前板４ｄ〜４ｆと後板４ｉと後カバー５ｂ）と、複数の板部材の間に配設されて演出効果を奏する演出部材５ｃ〜５ｅを有する。【選択図】図３
2013123568.tif 000002
【特許請求の範囲】
【請求項１】
弾球遊技機の外枠に対して回転可能な本体枠に取付けられる弾球遊技機用遊技盤装置であって、
弾球が落下する遊技領域において厚み方向に重ねられる複数の板部材と、複数の前記板部材の間に配設されて演出効果を奏する演出部材を有する弾球遊技機用遊技盤装置。
【請求項２】
請求項１に記載の弾球遊技機用遊技盤装置であって、
前記演出部材よりも前側に位置する板部材は、光が通過可能な透明性を有し、
前記演出部材は、光を発する発光体を有する弾球遊技機用遊技盤装置。
【請求項３】
請求項１または２に記載の弾球遊技機用遊技盤装置であって、
前記遊技領域に弾球を導くレールと前記板部材の１つまたは複数から構成される遊技盤を備える前ユニットと、前記前ユニットを後側から覆う後ユニットと、前記後ユニットに対して前記前ユニットを着脱可能に取付ける取付構造を有する弾球遊技機用遊技盤装置。
【請求項４】
請求項３に記載の弾球遊技機用遊技盤装置であって、
前記前ユニットまたは前記後ユニットには、前記遊技盤の後側位置と前記遊技盤の外側位置の間にて移動可能な可動部材を備える可動役物が取付けられる弾球遊技機用遊技盤装置。
【請求項５】
請求項３または４に記載の弾球遊技機用遊技盤装置であって、
前記取付構造は、取付ピンと、前記取付ピンが挿入されることで前記取付ピンと係合しかつ前記取付ピンと協働して前記前ユニットを前記後ユニットに取付ける係合体を有する弾球遊技機用遊技盤装置。
【請求項６】
請求項１〜５のいずれか１つに記載の弾球遊技機用遊技盤装置であって、
複数の前記板部材から構成される遊技盤を有し、
前記遊技盤は、樹脂製でかつ平面上に並設される複数の前記板部材である前板と、樹脂製でかつ複数の前記前板を後側から支持する前記板部材である後板を有する弾球遊技機用遊技盤装置。
【請求項７】
請求項６に記載の弾球遊技機用遊技盤装置であって、
前記前板と前記後板のそれぞれに前記弾球が通過する開口部が形成され、
前記前板の前記開口部と前記後板の前記開口部を連通する球樋が前記前板と前記後板の間に設けられる弾球遊技機用遊技盤装置。
【請求項８】
請求項１〜７のいずれか１つに記載の弾球遊技機用遊技盤装置であって、
前記板部材の縁部から側方に張出す張出部と、前記張出部の前側に設置される前役物と、前記張出部に後側から挿入されて前記張出部に前記前役物を取付ける取付部材を有する弾球遊技機用遊技盤装置。
【発明の詳細な説明】
【技術分野】
【０００１】
本発明は、弾球遊技機用遊技盤装置に関する。
【背景技術】
【０００２】
パチンコ機などの弾球遊技機は、外枠に回転可能な本体枠と、本体枠に取付けられる遊技盤装置を有する。従来の遊技盤装置は、例えば透明な合成樹脂によって形成される透明樹脂板を有する（特許文献１参照）。透明樹脂板は、透明樹脂板の後側に配設された装飾部材を前方から視認することを許容する。これにより遊技機の装飾効果が向上する。
【先行技術文献】
【特許文献】
【０００３】
【特許文献１】特開２００７−２８９３５９号公報
【発明の概要】
【発明が解決しようとする課題】
【０００４】
しかし遊技盤装置における演出効果をさらに向上させたいとの要望が従来ある。
【課題を解決するための手段】
【０００５】
前記課題を解決するために本発明は、各請求項に記載の通りの構成を備える弾球遊技機用遊技盤装置であることを特徴とする。１つの特徴によると弾球遊技機用遊技盤装置は、弾球が落下する遊技領域において厚み方向に重ねられる複数の板部材と、複数の板部材の間に配設されて演出効果を奏する演出部材を有する。
【０００６】
したがって演出部材によって遊技盤装置の演出効果を向上させ得る。例えば演出部材の前方に位置する板部材が光透過可能な材料で形成された場合、板部材間に位置する演出部材が前方から視認され得る。板部材が光透過不能な材料で形成された場合等には、板部材間の演出部材が視認できない位置から板部材の外方の視認できる位置へ移動することで演出部材が前方から視認され得る。したがって演出部材は、板部材間において遊技盤装置の演出効果を奏し、演出効果に厚みを付与しかつ多様性も生じ得る。
【図面の簡単な説明】
【０００７】
【図１】弾球遊技機の斜視図である。
【図２】前枠を開いた状態の弾球遊技機の斜視図である。
【図３】遊技盤装置の前ユニットと後ユニットの斜視図である。
【図４】レール飾りユニットと前メインユニットと後ユニットの前方からの斜視図である。
【図５】レール飾りユニットと前メインユニットと後ユニットの後方からの斜視図である。
【図６】レール飾りユニットの分解斜視図である。
【図７】前メインユニットの前方からの分解斜視図である。
【図８】前メインユニットの後方からの分解斜視図である。
【図９】後ユニットの分解斜視図である。
【図１０】可動役物の可動部材が視認位置に移動した状態の遊技盤装置の前面図である。
【図１１】可動役物の可動部材が視認位置に移動した状態の遊技盤装置の後面図である。
【図１２】他の形態にかかる遊技盤装置の後面図である。
【図１３】他の形態にかかる前メインユニットの後面図である。
【発明を実施するための形態】
【０００８】
本発明の１つの実施の形態を図１〜１１にしたがって説明する。弾球遊技機１０は、図１，２に示すようにパチンコ機であって、外枠１１と前枠１２と本体枠１３を有する。外枠１１は、矩形状であって、一側部に前枠１２と本体枠１３が回転可能に取付けられる。
【０００９】
前枠１２は、図１，２に示すように略板状であって、一側部が外枠１１に回転可能に連結される。前枠１２は、外枠１１の前側（遊技者側）に取付けられ、外枠１１と本体枠１３の前側を覆う図１の閉じ位置と、外枠１１と本体枠１３の前側を開放する図２の開き位置との間を回転する。前枠１２の前下部には、皿ユニット１４とハンドル装置１５が取付けられる。前枠１２の中央に形成された開口部１２ａにガラス板１２ｂが取付けられる。
【００１０】
本体枠１３は、図２に示すように一側部が外枠１１の一端部に回転可能に取付けられる。本体枠１３は、外枠１１の内側に位置する閉じ位置と、外枠１１の前側を開放する開き位置の間を回転する。本体枠１３には、遊技盤装置１が装着される。遊技盤装置１は、本体枠１３とともに外枠１１の内側に位置して前枠１２によって前方が覆われ得る。
【００１１】
遊技盤装置１は、図３に示すように前ユニット２、後ユニット５、前ユニット２を後ユニット５に脱着可能に取付ける取付構造６を有する。前ユニット２は、図４，５に示すように飾りユニット３と前メインユニット４を有する。
【００１２】
飾りユニット３は、図６に示すように飾りフレーム３ａと外レール３ｂを有する。飾りフレーム３ａは、樹脂製であり、光を透過する透明性を有していても良いし、有していなくても良い。飾りフレーム３ａの中央に開口部３ａ２が形成され、開口部３ａ２の下側領域に弾球が転入するアウト口３ａ８が形成される。
【００１３】
図６に示すように開口部３ａ２の一側領域に内レール３ａ３が形成され、内レール３ａ３の上端部に内レール３ａ３に弾球が戻ることを防止する戻り球防止３ａ４が形成される。外レール３ｂは、金属製であり、レール押え３ｃによって飾りフレーム３ａに取付けられる。外レール３ｂは、内レール３ａ３の外側にて内レール３ａ３に並設される。外レール３ｂと内レール３ａ３の間を弾球が通過し、弾球が遊技領域に導かれる。
【００１４】
図６に示すように飾りフレーム３ａには、取付ピン７を保持する複数の保持体３ａ５が形成される。保持体３ａ５と取付ピン７は、取付構造６の構成部品である。取付ピン７は、樹脂製であってピン頭部７ａとピン頭部７ａよりも径の小さいピン本体７ｂを一体に有する。保持体３ａ５は、ピン本体７ｂが挿入される穴３ａ７と、穴３ａ７の周囲においてピン頭部７ａに当接する鍔３ａ６を有する。
【００１５】
前メインユニット４は、図７に示すように前フレーム４ａと前役物４ｂと遊技盤４ｃを有する。前フレーム４ａは、樹脂製であり、光を透過する透明性を有していても良いし、有していなくても良い。前フレーム４ａは板状で、前フレーム４ａの中央に開口部４ａ１を有する。開口部４ａ１の内周側に遊技盤４ｃが設置され、前フレーム４ａの開口部４ａ１の周縁部に遊技盤４ｃが取付けられる。前フレーム４ａに複数の筒部４ａ２が略等間隔で形成される。筒部４ａ２は前フレーム４ａを厚み方向に貫通し、筒部４ａ２には図６に示す取付ピン７のピン本体７ｂが挿入される。
【００１６】
遊技盤４ｃは、図７，８に示すように複数の前板４ｄ〜４ｈと後板４ｉを有する。複数の前板４ｄ〜４ｈは、板状であって平面上に並設される。前板４ｄ〜４ｈは、樹脂製であって光を透過する透明性を有し、透明または半透明等である。前板４ｄ〜４ｈは、外周縁に後板４ｉに向けて起立するフランジ４ｄ１〜４ｈ１を有する。フランジ４ｄ１〜４ｈ１の先端部が後板４ｉの前面に当接され、後板４ｉの後方から挿入されるビス等によって前板４ｄ〜４ｈが後板４ｉに取付けられる。
【００１７】
前板４ｄ〜４ｆの裏面には、図８に示すように複数の釘挿入部４ｄ２〜４ｆ２が形成される。釘挿入部４ｄ２〜４ｆ２は、円筒状であって前板４ｄ〜４ｆの裏面に起立する。釘挿入部４ｄ２〜４ｆ２は、遊技盤４ｃの前面に起立する釘、あるいは遊技盤４ｃの前面に取付けられる役物を保持する釘等の先端部が前方から挿入されて釘を保持する。
【００１８】
前板４ｆには、図７，８に示すように開口部４ｆ３と球樋４ｆ４が形成される。開口部４ｆ３の前方に入賞口（普通入賞口４ｊと始動入賞口４ｋ）が取付けられる。球樋４ｆ４は、開口部４ｆ３の下側端縁から後方に延出する。球樋４ｆ４は、後板４ｉに形成された開口部４ｉ５を貫通して開口部４ｆ３と開口部４ｉ５を連結する。したがって弾球が球樋４ｆ４を通過することで弾球が遊技盤４ｃの前側から裏側に排出される。前板４ｄ〜４ｈの後面にはレンズカット加工あるいはシボ加工が施され得る。前板４ｄ〜４ｈの前面にはセルシート等が貼付され得る。
【００１９】
後板４ｉは、図７，８に示すように前板４ｄ〜４ｈに対して厚み方向に重ねられる。後板４ｉと前板４ｄ〜４ｈから構成される遊技盤４ｃの厚みは約１０ｍｍ（５〜２０ｍｍ）であり、後板４ｉと前板４ｄ〜４ｈは略同じ厚みを有する。後板４ｉは、樹脂製であって光を透過する透明性を有し、透明または半透明等である。後板４ｉの後面または前面にはレンズカット加工あるいはシボ加工が施され、あるいはセルシート等が貼付され得る。
【００２０】
後板４ｉには、図７，８に示すように中央に開口部４ｉ１が形成される。後板４ｉの外周縁には外方へ張出す張出部４ｉ４が形成される。張出部４ｉ４は、前フレーム４ａの後面に当接され、後方から挿入されるビス等の取付部材によって前フレーム４ａに取付けられる。後板４ｉの内周縁には開口部４ｉ１に張出す張出部４ｉ３が形成される。張出部４ｉ３の前面に前役物４ｂが設置され、後方から挿入されるビス等の取付部材４ｎによって前役物４ｂが張出部４ｉ３に取付けられる。
【００２１】
前役物（センター装飾役物）４ｂは、図７に示すように樹脂製であって光を透過する透明性を有していても良いし、有していなくても良い。前役物４ｂは、立体的あるいは平面的な装飾を有し、前メインユニット４の略中央に設置される。前役物４ｂの外周縁が後板４ｉの張出部４ｉ３の前面に設置され、張出部４ｉ３を後方から貫通するビス等の取付部材４ｎによって前役物４ｂが張出部４ｉ３に取付けられる。
【００２２】
後ユニット５は、図９に示すように後フレーム５ａと後カバー５ｂを有する。後フレーム５ａは、樹脂製であって光を透過する透明性を有していても良いし、有していなくても良い。後フレーム５ａの中央には開口部５ａ１が形成される。後フレーム５ａは、図５に示すように略環状であって遊技盤４ｃの外周に位置する。後フレーム５ａは、飾りフレーム３ａと前フレーム４ａと略同じ形状を有しており、厚み方向に重ねられる。
【００２３】
後フレーム５ａは、図３，９に示すように複数の係合体５ａ２を有する。係合体５ａ２は、円筒状であって後フレーム５ａから前方に起立する。係合体５ａ２は、取付構造６の構成部品であって、取付ピン７が挿入される。図６に示す取付ピン７のピン本体７ｂが係合体５ａ２に弾性変形されつつ挿入されて係合体５ａ２に嵌合される。
【００２４】
後カバー５ｂは、図５，９に示すように樹脂製であって光を透過する透明性を有していても良いし、有していなくても良い。後カバー５ｂは、三日月状であって、遊技盤４ｃの前板４ｄ〜４ｆに対応する形状を有し、遊技盤４ｃを後から覆う。後カバー５ｂと前板４ｄ〜４ｆと後板４ｉは、板部材であって、厚み方向に重ねられて遊技領域に位置する。後カバー５ｂは、後フレーム５ａの後面に当接される外周縁を有し、外周縁がビス等によって後フレーム５ａに取付けられる。後カバー５ｂには、図８に示す球樋４ｆ４が貫通される穴５ｂ２が形成される。
【００２５】
後カバー５ｂには、図９に示すように演出部材５ｃ〜５ｅと大入賞機構部材５ｆが取付けられる。各演出部材５ｃ〜５ｅは、図７に示す前板４ｄ〜４ｆに対応する形状を有しており、後カバー５ｂの前面にビス等によって取付けられる。演出部材５ｃ〜５ｅは、後カバー５ｂと図７に示す遊技盤４ｃの間に設置される。演出部材５ｃ〜５ｅは、それぞれＬＥＤ等の発光体５ｃ１〜５ｅ１を有する。発光体５ｃ１〜５ｅ１は、電流が供給されることで光を発する。発光体５ｃ１〜５ｅ１から発せられた光は、図７に示す遊技盤４ｃの後板４ｉと前板４ｄ〜４ｆを通過して前方の遊技者に伝わり得る。演出部材５ｅには、図８に示す球樋４ｆ４が貫通される穴５ｅ２が形成される。
【００２６】
大入賞機構部材５ｆは、図３，９に示すように後カバー５ｂに取付けられる。大入賞機構部材５ｆは、遊技盤４ｃに形成された開口部４ｍを貫通して遊技盤４ｃの前方に突出する。大入賞機構部材５ｆは、開閉する扉を有し、扉が開いて弾球を受け入れる。
【００２７】
図１０，１１に示すように後ユニット５には、可動役物８が取付けられる。可動役物８は、機構部材８ａと可動部材８ｂを有する。機構部材８ａは、後カバー５ｂに形成された箱部５ｂ１の前側に取付けられて遊技盤４ｃの後側に位置する。機構部材８ａは、供給された電力によって可動部材８ｂを移動させる。可動部材８ｂは、機構部材８ａによって遊技盤４ｃの後側位置と外側位置の間を移動する。後側位置において可動部材８ｂは、演出部材５ｃの後側に位置し、遊技者によって視認されできない。外側位置において可動部材８ｂは、演出部材５ｃの外側に位置して遊技者によって視認され得る。
【００２８】
以上のように遊技盤装置１は、図３に示すように弾球が落下する遊技領域において厚み方向に重ねられる複数の板部材（前板４ｄ〜４ｆと後板４ｉと後カバー５ｂ）と、複数の板部材の間に配設されて演出効果を奏する演出部材５ｃ〜５ｅを有する。
【００２９】
したがって演出部材５ｃ〜５ｅによって遊技盤装置１の演出効果を向上させ得る。例えば演出部材５ｃ〜５ｅの前方に位置する板部材（前板４ｄ〜４ｆと後板４ｉ）が光透過可能な材料で形成された場合、板部材間に位置する演出部材５ｃ〜５ｅが前方から視認され得る。したがって演出部材５ｃ〜５ｅは、板部材（前板４ｄ〜４ｆと後板４ｉ）間において遊技盤装置１の演出効果を奏し、演出効果に厚みを付与しかつ多様性も生じ得る。
【００３０】
演出部材５ｃ〜５ｅよりも前側に位置する板部材（前板４ｄ〜４ｆと後板４ｉ）は、図３に示すように光が通過可能な透明性を有する。演出部材５ｃ〜５ｅは、光を発する発光体５ｃ１〜５ｅ１を有する。したがって発光体５ｃ１〜５ｅ１の発した光は、板部材（前板４ｄ〜４ｆと後板４ｉ）を通過して遊技領域における演出効果を向上させ得る。
【００３１】
図３に示すように遊技領域に弾球を導くレール（内レール３ａ３と外レール３ｂ）と板部材（前板４ｄ〜４ｆと後板４ｉ）から構成される遊技盤４ｃを備える前ユニット２と、前ユニット２を後側から覆う後ユニット５と、後ユニット５に対して前ユニット２を着脱可能に取付ける取付構造を有する。
【００３２】
レール（３ａ３，３ｂ）と遊技盤４ｃは、弾球が当って弾球によって汚れ得る。そのためレール（３ａ３，３ｂ）と遊技盤４ｃは、再利用し難い部材である。レール（３ａ３，３ｂ）と遊技盤４ｃは、前ユニット２に設けられるために、前ユニット２として後ユニット５および本体枠から一体に取外され得る。
【００３３】
したがってレール（３ａ３，３ｂ）と遊技盤４ｃを別々に本体枠側から取外す従来構造に比べてレール（３ａ３，３ｂ）と遊技盤４ｃが容易に後ユニット５および本体枠から取外され得る。後ユニット５は、前ユニット２を後側から覆うため弾球によって汚れ難いあるいは前側から視認され難い部材である。そのため後ユニット５は、再利用できる部材であって、前ユニット２と分離されることで容易に再利用され得る。
【００３４】
後ユニット５は、図３に示すように遊技盤４ｃの外側に位置しかつ取付構造６が設けられる後フレーム５ａと、後フレーム５ａから遊技盤４ｃの後側に延出する後カバー５ｂと、後カバー５ｂに取付けられて遊技領域を演出する演出部材５ｃ〜５ｅを有する。したがって取付構造６は、遊技盤４ｃから外れた位置であるために遊技領域における演出を阻害し難い。演出部材５ｃ〜５ｅは、遊技領域に位置するために遊技領域を演出し易い。演出部材５ｃ〜５ｅは、後ユニット５に設けられて後ユニット５とともに容易に再利用され得る。
【００３５】
後ユニット５には、図１０，１１に示すように遊技盤４ｃの後側位置と遊技盤４ｃの外側位置の間にて移動可能な可動部材８ｂを備える可動役物８が取付けられる。したがって可動役物８を再利用する場合は、可動役物８を後ユニット５とともに本体枠側に残すことで容易に可動役物８を再利用し得る。
【００３６】
取付構造６は、図３に示すように取付ピン７と、取付ピン７が挿入されることで取付ピン７と係合しかつ取付ピン７と協働して前ユニット２を後ユニット５に取付ける係合体５ａ２を有する。したがって取付ピン７を係合体５ａ２に挿入することで前ユニット２が後ユニット５に取付けられ得る。
【００３７】
遊技盤４ｃは、図７に示すように複数の板部材から構成される。遊技盤４ｃは、樹脂製でかつ平面上に並設される複数の板部材である前板４ｄ〜４ｈと、樹脂製でかつ複数の前板４ｄ〜４ｈを後側から支持する板部材である後板４ｉを有する。したがって複数の前板４ｄ〜４ｈは、後板４ｉによって厚み方向の位置が揃えられ得る。これにより複数の前板４ｄ〜４ｈの間に段差ができることが抑制され、段差によって弾球の落下が阻害されることが抑制される。
【００３８】
また遊技盤４ｃは、前板４ｄ〜４ｈと後板４ｉによって厚み方向に分割され、複数の前板４ｄ〜４ｈによって平面方向において分割される。そのため遊技盤４ｃの各部材は、厚み方向と平面方向において小さな部材で構成され得る。これにより遊技盤４ｃは、成形時の冷却時間が短縮されて短時間で成形され得る。また成形型および成形機を小さくし得る。さらに成形時に生じるヒケも小さくし得る。
【００３９】
前板４ｆと後板４ｉのそれぞれに弾球が通過する開口部４ｆ３，４ｉ５が形成される（図８参照）。前板４ｆの開口部４ｆ３と後板４ｉの開口部４ｉ５を連通する球樋４ｆ４が前板４ｆと後板４ｉの間に設けられる。したがって弾球は、球樋４ｆ４によって前板４ｆの開口部４ｆ３から後板４ｉの開口部４ｉ５に向けて円滑に転がり、円滑に遊技盤４ｃを貫通し得る。
【００４０】
板部材（遊技盤４ｃ）の縁部から側方に張出す張出部４ｉ３と、張出部４ｉ３の前側に設置される前役物４ｂと、張出部４ｉ３に後側から挿入されて張出部４ｉ３に前役物４ｂを取付ける取付部材４ｎを有する。したがって張出部４ｉ３は、前役物４ｂによって覆われるために前側から視認され難い。取付部材４ｎも張出部４ｉ３の後側から挿入されるために前側から視認され難い。そのため前役物４ｂを板部材（遊技盤４ｃ）に取付ける構造が遊技領域の美感を損ない難い。
【００４１】
後ユニット５は、図３に示すように遊技盤４ｃの外側に位置しかつ取付構造６が設けられる後フレーム５ａと、後フレーム５ａから遊技盤４ｃの後側に延出する後カバー５ｂと、後カバー５ｂに取付けられて遊技領域を演出する演出部材５ｃ〜５ｅを有する。したがって取付構造６は、遊技盤４ｃから外れた位置であるために遊技領域における演出を阻害し難い。演出部材５ｃ〜５ｅは、遊技領域に位置するために遊技領域を演出し易い。演出部材５ｃ〜５ｅは、後ユニット５に設けられて後ユニット５とともに容易に再利用され得る。
【００４２】
本発明は、上記実施の形態に限定されず、以下の形態等であっても良い。例えば、遊技盤装置１は、図１２に示す球樋２０，２１を有していても良い。球樋２０，２１は、後カバー５ｂの裏面に一体に形成、もしくは別体に形成されて後カバー５ｂに取付けられる。球樋（集合樋）２０は、普通入賞口４ｊに対応する位置に設けられて図８に示す球樋４ｆ４を経由して複数の普通入賞口４ｊと連通する。球樋２０は、普通入賞口４ｊから遊技盤４ｃと後カバー５ｂを貫通して移動した後の弾球の経路を形成する。球樋２１は、始動入賞口４ｋに対応する位置に設けられて始動入賞口４ｋと連通する。球樋２１は、始動入賞口４ｋから遊技盤４ｃと後カバー５ｂを貫通した後の弾球の経路を形成する。
【００４３】
遊技盤装置１は、図１３に示す球樋２２，２３を有していても良い。球樋２２，２３は、遊技盤４ｃの後板４ｉの裏面に一体に形成、もしくは別体に形成されて後板４ｉに取付けられる。球樋（集合樋）２２は、普通入賞口４ｊに対応する位置に設けられて複数の普通入賞口４ｊと連通する。球樋２２は、普通入賞口４ｊから遊技盤４ｃを貫通した後の弾球の経路を形成する。球樋２３は、始動入賞口４ｋに対応する位置に設けられて始動入賞口４ｋと連通する。球樋２３は、始動入賞口４ｋから遊技盤４ｃを貫通した後の弾球の経路を形成する。
【００４４】
弾球遊技機１０は、図１に示すようにパチンコ機でも良いし、遊技球を発射して遊技を行う他の遊技機、例えば雀球遊技機、スマートボール遊技機、アレンジボール遊技機等でも良い。
【００４５】
弾球遊技機１０は、図３，７に示すように３層の板部材（前板４ｄ〜４ｈ、後板４ｉ、後カバー５ｂ）を有していても良いし、２層もしくは４層以上の板部材を有していても良い。
【００４６】
弾球遊技機１０は、図３，７に示すように後板４ｉと後カバー５ｂの間に演出部材５ｃ〜５ｅを有していても良いし、前板４ｄ〜４ｈと後板４ｉの間に演出部材を有していても良い。あるいは弾球遊技機１０が厚み方向に重ねられる複数の板部材を有し、複数の板部材の内における２つの板部材間のいずれかに演出部材を有していても良い。
【００４７】
弾球遊技機１０は、図３，７に示すように発光体５ｃ１〜５ｅ１を有する演出部材５ｃ〜５ｅを有していても良いし、遊技領域の後側と遊技領域の外側に移動可能な可動部材を有していても良い。これにより演出部材によって遊技機の演出効果を向上させ得る。例えば演出部材よりも前側の板部材が光を透過不能な材料で形成された場合、可動部材が板部材間であって遊技者の視認できない位置から板部材の外方である遊技者の視認できる位置に移動する。これにより演出部材は、板部材間において遊技盤装置の演出効果を奏し、演出効果に厚みを付与しかつ多様性も生じ得る。
【００４８】
演出部材５ｃ〜５ｅは、図９に示すように発光体５ｃ１〜５ｅ１を有していても良いし、立体的あるいは平面的な模様を有しており遊技者が遊技盤４ｃを通して模様を視認できる構成でも良い。あるいは演出部材は、遊技領域の後側で可動する可動部材を有し、遊技者が遊技盤４ｃを通して可動部材を視認できる構成でも良い。
【００４９】
遊技盤４ｃは、図７に示すように厚み方向に重ねられる２つの板部材（前板４ｄ〜４ｈと後板４ｉ）を有していても良いし、厚み方向に１つまたは３つ以上の板部材を有していても良い。
【００５０】
前ユニット２は、図４に示すように前メインユニット４と前メインユニット４に取付けられる飾りユニット３を有していても良いし、飾りユニット３を有さずに前メインユニット４に外レール３ｂと内レール３ａ３の１つまたは両方が設けられても良い。
【００５１】
取付構造６は、図３に示すように後ユニット５に設けられる係合体５ａ２と、前ユニット２の前方から挿入される取付ピン７を有していても良いし、前ユニットに設けられる係合体と、後ユニットの後方から挿入される取付ピンを有していても良い。
【００５２】
球樋４ｆ４は、図８に示すように前板４ｆに一体に形成されても良いし、後板４ｉに一体に設けられても良い。あるいは球樋４ｆ４は、前板４ｆと後板４ｉと別体に形成されて前板４ｆあるいは後板４ｉに取付けられても良い。
【００５３】
可動役物８は、図１０，１１に示すように後ユニット５に取付けられても良いし、前ユニット２に取付けられて遊技盤４ｃの後側に位置しても良い。前ユニット２に可動役物８を取付けた場合は、可動役物８を前ユニット２とともに後ユニット５から取外すことができる。そのため可動役物８を再利用しない場合、可動役物８を前ユニット２とともに後ユニット５から容易に取外して破棄し得る。
【００５４】
板部材（遊技盤４ｃ）の張出部４ｉ３に取付けられる前役物は、図７に示すセンター装飾役物（前役物４ｂ）でも良いし、通過チェッカー、入賞口等の他の役物でも良い。
【００５５】
後カバー５ｂは、図９に示すように後フレーム５ａと別体で後フレーム５ａに取付けられても良いし、後フレーム５ａと一体に形成されても良い。
【００５６】
前ユニット２は、全部品が一体として破棄されても良いし、適宜再利用する部品が取外されて破棄され、取外された部品が再利用されても良い。
【符号の説明】
【００５７】
１     遊技盤装置
２     前ユニット
３     飾りユニット
３ａ   飾りフレーム
３ａ３ 内レール（レール）
３ｂ   外レール（レール）
４     前メインユニット
４ａ   前フレーム
４ｂ   前役物
４ｃ   遊技盤
４ｄ〜４ｈ    前板（板部材）
４ｆ４，２０〜２３   球樋
４ｉ   後板（板部材）
４ｉ３，４ｉ４       張出部
４ｎ   取付部材
５     後ユニット
５ａ   後フレーム
５ａ２ 係合体
５ｂ   後カバー（板部材）
５ｃ〜５ｅ    演出部材
５ｃ１〜５ｅ１       発光体
６     取付構造
７     取付ピン
８     可動役物
８ｂ   可動部材
１０   弾球遊技機
１１   外枠
１２   前枠
１３   本体枠
【図１】
2013123568.tif 000003
【図２】
2013123568.tif 000004
【図３】
2013123568.tif 000005
【図４】
2013123568.tif 000006
【図５】
2013123568.tif 000007
【図６】
2013123568.tif 000008
【図７】
2013123568.tif 000009
【図８】
2013123568.tif 000010
【図９】
2013123568.tif 000011
【図１０】
2013123568.tif 000012
【図１１】
2013123568.tif 000013
【図１２】
2013123568.tif 000014
【図１３】
2013123568.tif 000015